(57)【要約】      （修正有）【課題】熱放散性を高めることでモータ性能の低下を防ぎ、かつ防塵防滴性能を高めて異物の侵入を防ぎモータ性能を維持することが可能な耐久性の高い全天候型モータを提供する。【解決手段】回転子１４は、固定子コア１２の外周側及び軸受ハウジング１１の軸方向両端側を覆うと共に、軸方向一端側に軸方向に吸気する吸気用開口部４ｅを有し、軸方向他端側に径方向に排気する排気用開口部４ｆを有する回転ケース体４と、回転ケース体４の軸方向他端内面に設けられたフィン１７と、を有しており、吸気用開口部４ｅ及び排気用開口部４ｆは、所定の開口径を有する撥水性のフィルター材１８で各々覆われている。【選択図】図２
2019057977.tif 000002
【特許請求の範囲】
【請求項１】
取付ベースと、
前記取付ベースに一体に組み付けられた軸受ハウジングと、
前記軸受ハウジングに一体に組み付けられた固定子コアを有する固定子と、
前記固定子コアに対向して支持された回転子マグネットを有し前記軸受ハウジングに軸受を介して回転可能に支持された回転子と、を備え、
前記回転子は、前記固定子の外周側及び前記軸受ハウジングの軸方向両端側を覆うと共に、軸方向一端側に吸気用開口部を有し軸方向他端側に排気用開口部を有する回転ケース体と、前記回転ケース体内に軸方向他端側に設けられたフィンと、を有しており、前記吸気用開口部及び前記排気用開口部は、所定の開口径を有するフィルター材で各々覆われていることを特徴とする全天候型モータ。
【請求項２】
前記回転ケース体の前記軸方向一端側に設けられた前記吸気側開口部より前記フィルター材を介して軸方向に吸気し、前記回転ケース体の軸方向他端内面に設けられた前記フィンにより径方向外側に向かって送り出して前記フィルター材を介して前記排気用開口部から排気される請求項１記載の全天候型モータ。
【請求項３】
前記フィルター材の開口径は、固定子極歯と前記回転子マグネットの隙間寸法より小さいものが用いられる請求項１又は請求項２記載の全天候型モータ。
【請求項４】
前記吸気用開口部を覆う前記フィルター材は交換可能に設けられている請求項１乃至請求項３のいずれかに記載の全天候型モータ。
【請求項５】
前記回転ケース体の軸方向下方に設けられた前記吸気用開口部より吸気し、それより軸方向上方の径方向外側に設けられた前記排気用開口部より排気される請求項１乃至請求項４のいずれか１項記載の全天候型モータ。
【発明の詳細な説明】
【技術分野】
【０００１】
本開示は、例えば遠隔操縦される無人航空機（通称ドローン）等の駆動源として屋外で露出した状態で使用される全天候型モータに関する。
【背景技術】
【０００２】
一般にモータは、運転を開始するとコイルの発熱等によりハウジング内に熱が籠りやすくなり、モータの発熱が大きくなるとモータ性能が低下するため、モータ内部を冷却する必要がある。このため、モータハウジングの一端側に放熱ファンを設け、一端側に設けられた空気取り込み孔からを内部空間に空気流を取り込み、モータ内部の熱気をモータハウジングの他端側の排風口より排出するようにして放熱性を高めた開放型のモータが提案されている（特許文献１：特開２０１７−１７９８３号公報参照）。
これとは対照的にポンプユニットにモータユニットが組み付けられる場合、モータカバー内にモータが収容されると共にモータベースに対してモータカバーが接合されて密閉された全閉型のモータも提案されている（特許文献２：特開２００９−２９０９８１号公報参照）。
【先行技術文献】
【特許文献】
【０００３】
【特許文献１】特開２０１７−１７９８３号公報
【特許文献２】特開２００９−２９０９８１号公報
【発明の概要】
【発明が解決しようとする課題】
【０００４】
例えば、遠隔操縦される無人航空機（通称ドローン）の駆動源として使用されるモータは、主に屋外で高出力で使用される場合が多い。モータを高出力で使用し続ける場合、モータ内部の発熱が大きく熱放散性を大きくするため、モータケースの開口部を大きくとる必要がある。しかしながら、この構造では外部からの塵埃や砂等の異物や水の侵入を防ぐことができずモータロックを引き起こすおそれがある。
これに対し、モータケースに開口部の無い全閉型のモータを採用すると、モータ内への異物や水の侵入は防げるが、モータの発熱を逃がすことができないため高出力が得られず、飛行性能が低下してしまうおそれがある。
このように、モータ発熱によるモータ性能の低下を防ぐ反面、モータ内に異物や水が侵入するのを防ぐ防塵防滴機能を備えた全天候型モータが必要とされている。
【課題を解決するための手段】
【０００５】
以下に述べるいくつかの実施形態に適用される開示は、上記課題を解決すべくなされたものであり、その目的とするところは、熱放散性を高めることでモータ性能の低下を防ぎ、かつ防塵防滴性能を高めてモータ性能を維持することが可能な耐久性の高い全天候型モータを提供することにある。
【０００６】
以下に述べるいくつかの実施形態に適用される開示は、少なくとも以下の構成を備える。
取付ベースと、前記取付ベースに一体に組み付けられた軸受ハウジングと、前記軸受ハウジングに一体に組み付けられた固定子コアを有する固定子と、前記固定子コアに対向して支持された回転子マグネットを有し前記軸受ハウジングに軸受を介して回転可能に支持された回転子と、を備え、前記回転子は、前記固定子の外周側及び前記軸受ハウジングの軸方向両端側を覆うと共に、軸方向一端側に吸気用開口部を有し軸方向他端側に排気用開口部を有する回転ケース体と、前記回転ケース体内に軸方向他端側に設けられたフィンと、を有しており、前記吸気用開口部及び前記排気用開口部は、所定の開口径を有するフィルター材で各々覆われていることを特徴とする。
【０００７】
上記構成によれば、モータを構成する固定子及び回転子が回転ケース体に軸方向両端及び外周面を覆われているのでモータ内に異物や水が侵入し難くしかも吸気側開口部及び排気用開口部はフィルター材で覆われているため、防塵防滴効果が高い。
また、モータを起動すると回転子と一体化された回転ケース体が回転し、回転ケース体内に設けられたフィンが回転することで、回転ケース体の軸方向一端側の吸気用開口部より吸気しモータ内で発生した熱気を軸方向他端側のフィンにより径方向外側に送り出して排気用開口部より排気することができる。
これにより、モータの熱放散性を高めることでモータ性能の低下を防ぎ、かつ防塵防滴性能を高めてモータ性能を維持することができる全天候型モータを提供することができる。
【０００８】
前記回転ケース体の前記軸方向一端側に設けられた前記吸気側開口部より前記フィルター材を介して軸方向に吸気し、前記回転ケース体の軸方向他端内面に設けられた前記フィンにより径方向外側に向かって送り出して前記フィルター材を介して前記排気用開口部から排気されることが好ましい。
これにより、モータが始動すると、回転ケース体の吸気側開口部よりフィルター材を介して吸気し固定子コア及びコイルを冷却してフィンの回転により熱気を径方向外側に向かって送り出しフィルター材を介して排気用開口部から排気するので、熱放散性を高めてモータ性能を維持しつつフィルター材によって異物や水の侵入も防げる。特に、フィルター材の存在と共に排気用開口部からの排気により防滴性能を高めることができる。
【０００９】
前記フィルター材の開口径は、固定子極歯と前記回転子マグネットの隙間寸法より小さいものが用いられることが望ましい。
これにより、塵埃等の異物が固定子極歯と回転子マグネットとの隙間に挟まってモータロックが生じるのを防ぐことができる。
【００１０】
前記吸気用開口部を覆う前記フィルター材は交換可能に設けられていることが望ましい。
これにより吸気用開口部を覆うフィルター材は、外気を吸気する際に塵埃や異物を除去するため汚れ易く、フィルター機能が低下しやすいため、メンテナンス作業がしやすくなる。
【００１１】
前記回転ケース体の軸方向下方に設けられた前記吸気用開口部より吸気し、それより軸方向上方の径方向外側に設けられた前記排気用開口部より排気されることが好ましい。
これにより、軸方向下方に設けられた吸気用開口部より吸気し、それより軸方向上方の径方向外側に設けられた排気用開口部より排気されるので、いずれの開口部に対しても水が侵入し難く防滴性能を高めることができる。
尚、吸気用開口部が設けられる位置は、防滴性を考慮すると回転ケース体が例えば有底筒状体の場合には軸方向下端面が好ましく、回転ケース体に端面が存在しない曲面となる場合には、軸方向下方面に設けられることが望ましい。
【発明の効果】
【００１２】
上記構成によれば、熱放散性を高めることでモータ性能の低下を防ぎ、かつ防塵防滴性能を高めてモータ性能を維持することが可能な耐久性の高い全天候型モータを提供することができる。
【図面の簡単な説明】
【００１３】
【図１】飛行体用駆動源として用いられた全天候型モータの斜視図である。
【図２】全天候型モータの軸方向垂直断面図である。
【図３】図２の軸方向垂直断面図を吸気用開口部側から見た斜視説明図である。
【図４】図１のモータの分解斜視図である。
【図５】他例に係る全天候型モータの軸方向垂直断面図である。
【図６】図５の軸方向垂直断面図を吸気用開口部側から見た斜視説明図である。
【発明を実施するための形態】
【００１４】
以下、全天候型モータの一実施形態について、図１乃至図６に示す添付図面を参照しながら説明する。本実施形態は、無人航空機（所謂ドローン）用の駆動源として用いられる全天候型モータ２を例示して説明する。無人航空機（図示せず）は、遠隔操作により送信機で操作信号を送信し、機体フレームに複数支持されたモータ駆動で回転するプロペラを高速回転させて飛行するようになっている。機体フレームにはフライトコントローラが設けられており、受信機を通じて受信した送信信号によりモータ駆動を制御するようになっている。
【００１５】
図１に示すように、全天候型モータ２は、ＤＣブラシレスモータが用いられる。ＤＣブラシレスモータとしては、高出力が期待されるアウターロータ型モータが好適に用いられる。全天候型モータ２の回転子には後述するようにプロペラ３が一体に組み付けられている。詳しくは、回転子を構成する回転ケース体４の上端面中央部に台座板５が複数のねじ６により固定されている。ねじ６の先端部は、回転ケース体４とねじ篏合して一体に組み付けられている（図２参照）。台座板５の上面には軸部５ａが突設されている。軸部５ａはプロペラ３の軸孔３ａ（図２参照）に挿通してプロペラ３が台座板５上に組み付けられている。プロペラ３の上には止め板７を重ね合わせて固定されている。止め板７は軸部５ａを軸孔７ａ（図２参照）に挿通させてプロペラ３に重ね合わせ、ねじ８により一体に固定されている。
【００１６】
次に、全天候型モータ２の構成について図２を参照して説明する。
固定子９の構成について説明する。取付ベース１０は、ＤＣブラシレスモータを例えば無人航空機の機体フレーム（図示せず）に固定する場合に用いられる。取付ベース１０には、例えば機体フレーム等の取付面にねじ止め固定するためのねじ孔１０ａが穿孔されている。取付ベース１０は、軽量化を図るため中心部に貫通孔１０ｂが設けられている。筒状をした軸受ハウジング１１の一端部１１ａは、取付ベース１０に重ね合わせて起立した状態でねじ１１ｂにより一体に固定されている。
【００１７】
軸受ハウジング１１には、固定子コア１２が圧入、接着、ねじ止め等或いはこれらの組み合わせにより一体に組み付けられている。固定子コア１２は電磁鋼板を積層プレスされた積層コア、金属板を放電加工或いはレーザーカットされた一体型コア、金属粉末を焼成した焼結金属によるコア等他の形態のコアであってもよい。
固定子コア１２は、環状のコアバック部から放射状に複数の極歯１２ａが突設されている。各極歯１２ａには、絶縁塗装されるかインシュレータを介してコイル１３が巻き付けられている。
【００１８】
次に回転子１４の構成について説明する。
回転子１４を構成する回転ケース体４は、軸受ハウジング１１の長手方向両端外周部に第一軸受１５，第二軸受１６を介して回転可能に支持されている。第一軸受１５及び第二軸受１６は、軸受ハウジング１１の外周に例えば圧入、接着、すきま嵌め等により固定されている。
【００１９】
回転ケース体４は、軸受ハウジング１１の外周側及び軸方向一端部を覆う第一ケース体４ａと、軸受ハウジング１１の外周側及び軸方向他端部を覆う第二ケース体４ｂとで固定子コア１２の外周側を覆う環状のバックヨーク４ｃを挟み込んで一体に組み付けられる。第一ケース体４ａとバックヨーク４ｃは接着固定され、第二ケース体４ｂとバックヨーク４ｃは、固定ねじ１９（図１参照）によりねじ止め固定されている。
【００２０】
第一ケース体４ａ及び第二ケース体４ｂは、軽量化するため、アルミ材等が用いられる。バックヨーク４ｃは磁路を形成するため磁性材（鉄、ＳＵＳ等の磁性材）が用いられる。環状のバックヨーク４ｃの内周面には周方向にＮ極とＳ極が交互に着磁された環状の回転子マグネット４ｄが支持されている。回転子マグネット４ｄは固定子コア１２の極歯１２ａの歯先と対向配置されている。
【００２１】
第一ケース体４ａの軸方向端面４ａ１には、吸気用開口部４ｅが複数箇所に設けられている。この吸気用開口部４ｅより軸方向に吸気されて固定子コア１２及びコイル１３（固定子９）を冷却するようになっている。第二ケース体４ｂの軸方向内端面４ｂ１には、フィン１７がねじ１７ａにより一体に組み付けられている。フィン１７は、軸方向内端面４ｂ１にベース板１７ｂを重ねてねじ止めして組み付けられる。ベース板１７ｂには径方向に延設された羽板１７ｃが周方向で複数枚起立形成されている。また、第二ケース体４ｂの羽板１７ｃの外周側先端部と対向する側面部には、排気用開口部４ｆが設けられている。フィン１７が回転すると吸気用開口部４ｅより軸方向に吸気された空気を径方向外側に向かって送り出し排気用開口部４ｆから排気するようになっている。
【００２２】
上記吸気用開口部４ｅ及び排気用開口部４ｆは、所定の開口径を有する通気性撥水性を有するフィルター材１８（例えばナイロン６６等のメッシュシート）により各々覆われている（図３参照）。フィルター材１８は、第一ケース体４ａ，第二ケース体４ｂの内周面に接着等により固定されている。フィルター材１８の開口径（例えば一辺が７７μｍの矩形孔）は、固定子極歯１２ａと回転子マグネット４ｄの隙間（例えば１６０μｍ）より小さいものが好適に用いられる。これにより、塵埃等の異物が固定子極歯１２ａと回転子マグネット４ｄとの隙間に挟まってモータロックが生じるのを防ぐことができるうえに、吸気用開口部４ｅ及び排気用開口部４ｆの防水防滴機能も担保することができる。
【００２３】
尚、吸気用開口部４ｅを覆うフィルター材１８は、接着等で固定されていてもよいが、例えば図示しないアタッチメントを介して交換可能に設けられていることが望ましい。これにより吸気側開口部４ｅを覆うフィルター材１８は、外気を吸気する際に塵埃や異物を除去するため汚れ易く、フィルター機能が低下しやすいため、メンテナンス作業がし易くなる。また、フィルター材１８は、メッシュシート材に限らずスポンジ等の多孔質シート材であってもよい。また、材質は樹脂材であっても金属材であっていずれでもよい。
【００２４】
回転子１４と共に回転ケース体４が回転すると、吸気側開口部４ｅより撥水性フィルター材１８を介して軸方向に吸気して固定子コア１２を経てフィン１７により径方向外側に向かって排気用開口部４ｆを介して排気される。
これにより、全天候型モータ２が始動すると、図２の矢印に示すように、回転ケース体４の吸気側開口部４ｅよりフィルター材１８を介して吸気し固定子コア１２のコイル１３を冷却してフィン１７の回転により熱気を径方向外側に向かって送り出しフィルター材１８を介して排気用開口部４ｆから排気するので、熱放散性を高めてモータ性能を維持しつつフィルター材１８によって異物や水の侵入も防げる。特に、フィルター材１８の存在と共に軸方向下方に設けられた吸気用開口部４ｅより吸気し、それより軸方向上方の径方向外側に設けられた排気用開口部４ｆより排気されるので、いずれの開口部に対しても水が侵入し難く防滴性能を高めることができる。
【００２５】
上記構成によれば、全天候型モータ２を構成する固定子９及び回転子１４が回転ケース体４に軸方向両端及び外周面を覆われているのでモータ２内に異物が侵入し難くしかも吸気側開口部４ｅ及び排気用開口部４ｆはフィルター材１８で覆われているため、防塵防滴効果が高い。
また、全天候型モータ２を起動すると回転子１４と一体化された回転ケース体４が回転し、回転ケース体４内に設けられたフィン１７が回転することで、回転ケース体４の軸方向一端側の吸気用開口部４ｅより吸気しモータ内で発生した熱気を軸方向他端側のフィン１７により径方向外側に送り出して排気用開口部４ｆより排気することができる。
これにより、モータの熱放散性を高めることでモータ性能の低下を防ぎ、かつ防塵防滴性能を高めてモータ性能を維持することができる全天候型モータ２を提供することができる。
【００２６】
上述した全天候型モータ２を含む無人航空機の組立て構成の一例について図３及び図４を参照して説明する。予め、回転ケース体４の第二ケース体４ｂに台座板５が複数のねじ６により固定する（図３参照）。台座板５に突設された軸部５ａをプロペラ３の軸孔３ａに挿通してプロペラ３を台座板５上に組み付け、軸孔７ａに挿通して止め板７をプロペラ３上に重ね合わせてねじ８により一体に固定しておく。また、第一ケース体４ａの吸気用開口部４ｅの外面側、第二ケース体４ｂの排気用開口部４ｆの内面側を覆ってフィルター材１８を各々接着しておく（図４参照）。
【００２７】
取付ベース１０にねじ止めされた軸受ハウジング１１には固定子９が一体に組み付けられている。また、軸受ハウジング１１の長手方向両端部には第一軸受１５及び第二軸受１６が各々組み付けられている。第一ケース体４ａは第一軸受１５を介して軸受ハウジング１１に対して回転可能に支持され、第二ケース体４ｂは第二軸受１６を介して軸受ハウジング１１に対して回転可能に支持される（図３参照）。
【００２８】
図４に示すように、第二ケース体４ｂの軸方向内端面４ｂ１にフィン１７をねじ１７ａにより一体にねじ止めして組み付ける。また、回転子マグネット４ｄを支持するバックヨーク４ｃは、第一ケース体４ａ及び第二ケース体４ｂの開口端に各々嵌め合わせて組み付けられる。そして、第一ケース体４ａとバックヨーク４ｃとが接着固定され、第二ケース体４ｂとバックヨーク４ｃとの重なり部分に固定ねじ１９をねじ篏合させて、第一ケース体４ａと第二ケース体４ｂがバックヨーク４ｃを介して一体に組み付けられる。
【００２９】
図２に示すように全天候型モータ２を起動すると、回転子１４と一体化された回転ケース体４が回転する。このとき、回転ケース体４内のフィン１７が回転することで、回転ケース体４の軸方向一端側の吸気用開口部４ｅより軸方向に吸気しモータ内で発生した熱気を軸方向他端側のフィン１７により径方向外側に送り出して排気用開口部４ｆより排気することができる。
【００３０】
次に上記全天候型モータ２の変形例を図５及び図６に示す。上記図１乃至図４に示す実施形態と同一部材には同一番号を付して説明を援用するものとし、異なる構成を中心に説明する。上述した全天候型モータ２は、無人航空機の駆動源として用いられ、回転ケース体４の第一ケース体４ａと第二ケース体４ｂを天地が逆向きに配置、より具体的には取付ベース１０とプロペラ３を天地逆向きにして使用することもできる。
【００３１】
図５において第二ケース体４ｂの軸方向端面４ｂ２には、吸気用開口部４ｅが複数箇所に設けられている。この吸気用開口部４ｅより軸方向に吸気されて固定子コア１２及びコイル１３（固定子９）を冷却するようになっている。第一ケース体４ａの軸方向内端面４ａ２には、フィン１７がねじ１７ａにより一体に組み付けられている。フィン１７は、軸方向内端面４ａ２にベース板１７ｂを重ねてねじ止めして組み付けられる。ベース板１７ｂには径方向に延設された羽板１７ｃが周方向で複数枚起立形成されている。
また、第一ケース体４ａの羽板１７ｃの外周側先端部と対向する側面部には、排気用開口部４ｆが設けられている。フィン１７が回転すると吸気用開口部４ｅより軸方向に吸気された空気を周方向に向かって送り出し排気用開口部４ｆから排気するようになっている。
これにより、塵埃等の異物が固定子極歯１２ａと回転子マグネット４ｄとの隙間に挟まってモータロックが生じるのを防ぐことができるうえに、吸気用開口部４ｅ及び排気用開口部４ｆの防水防滴機能も担保することができる。
【００３２】
上述した全天候型モータ２を含む無人航空機の組立て構成の一例について図６を参照して説明する。予め、回転ケース体４を構成する第二ケース体４ｂに台座板５が複数のねじ６により固定する。台座板５に突設された軸部５ａをプロペラ３の軸孔３ａに挿通してプロペラ３を台座板５上に組み付け、軸孔７ａに挿通して止め板７をプロペラ３上に重ね合わせてねじ８により一体に固定しておく。また、第二ケース体４ｂの吸気用開口部４ｅの外面側、第一ケース体４ａの排気用開口部４ｆの内面側を覆ってフィルター材１８を各々接着しておく。
【００３３】
取付ベース１０にねじ止めされた軸受ハウジング１１には固定子９が一体に組み付けられている。また、軸受ハウジング１１の長手方向両端部には第一軸受１５及び第二軸受１６が各々組み付けられている。第一ケース体４ａは第一軸受１５を介して軸受ハウジング１１に対して回転可能に支持され、第二ケース体４ｂは第二軸受１６を介して軸受ハウジング１１に対して回転可能に支持される。この場合、第一軸受１５は、シール型ベアリングを用いると水の侵入を防ぐことができ、好適である。
【００３４】
第一ケース体４ａの軸方向内端面４ａ２にフィン１７をねじ１７ａにより一体にねじ止めして組み付ける。また、回転子マグネット４ｄを支持するバックヨーク４ｃは、第一ケース体４ａ及び第二ケース体４ｂの開口端に各々嵌め合わせて組み付けられる。そして、第一ケース体４ａとバックヨーク４ｃとが接着固定され、第二ケース体４ｂとバックヨーク４ｃの重なり部分に固定ねじ１９（図１参照）をねじ篏合させて、第一ケース体４ａと第二ケース体４ｂがバックヨーク４ｃを介して一体に組み付けられる。
【００３５】
図５に示すように全天候型モータ２を起動すると、回転子１４と一体化された回転ケース体４が回転する。このとき、回転ケース体４内のフィン１７が回転することで、回転ケース体４の軸方向一端側の吸気用開口部４ｅより軸方向に吸気しモータ２内で発生した熱気を軸方向他端側のフィン１７により径方向外側に送り出して排気用開口部４ｆより排気することができる。
これにより、モータの熱放散性を高めることでモータ性能の低下を防ぎ、かつ防塵防滴性能を高めて異物の侵入を防ぐことでモータ性能を維持することができる全天候型モータ２を提供することができる。
【００３６】
また、図２に示す全天候型モータ２と図５に示す全天候型モータ２を無人航空機の機体フレームの上下に取付べース１０を対向させて組み付けることもできる。この場合、プロペラ３（全天候型モータ２）の回転方向は互いに逆向きになるので、互いに正逆回転駆動され、機体フレームに作用するモータ振動が互いに逆向きとなって打ち消し合うので、推力を２倍にしても低振動化を図ることができる。また、図２と図５に示す全天候型モータ２を、機体フレームを介して上下に取り付けても、各回転ケース体４には、軸方向下方の吸気用開口部４ｅより吸気して軸方向上部側方の排気用開口部４ｆより排気するので、防塵防滴性能を高めて異物や水の侵入を防ぐことでモータ性能を維持することができる。
【００３７】
上述した全天候型モータ２はＤＣブラシレスレスモータを用いたが、ＤＣブラシ付きモータ等他のモータであってもよい。
また、回転ケース体４にねじ止め固定されていたフィン１７は、回転ケース体４（第一ケース体４ａ又は第二ケース体４ｂ）と一体に形成されていても良い。
また、吸気用開口部４ｅは、上述したように回転ケース体４が有底筒状体の場合には防滴性を考慮すると軸方向下端面が好ましいが、回転ケース体４に端面が存在しない曲面となる場合には、軸方向下方面に設けられることが望ましい。
また、フィルター材１８は、撥水性、通気性、防塵性を確保できるものであれば、樹脂製多孔質材、金属メッシュ材等、多様な材質並びに多様な形態のものを用いることができる。
更には、上述した実施形態では、全天候型モータ２は無人航空機用の駆動源として用いた場合について説明したが、用途はこれに限定されるものではなく、屋外で使用される他の用途の駆動源としても適用することができる。
【符号の説明】
【００３８】
２  全天候型モータ  ３  プロペラ  ３ａ  軸孔４  回転ケース体  ４ａ  第一ケース体  ４ａ１  軸方向端面  ４ｂ  第二ケース体  ４ｂ１  軸方向内端面  ４ｃ  バックヨーク  ４ｄ  回転子マグネット  ４ｅ  吸気用開口部  ４ｆ  排気用開口部  ５  台座板  ５ａ  軸部  ６，８  ねじ  ７  止め板  ９  固定子  １０  取付ベース  １０ａ  ねじ孔  １０ｂ  貫通孔  １１  軸受ハウジング  １１ａ  一端部  １１ｂ  ねじ  １２  固定子コア  １２ａ  極歯  １３  コイル  １４  回転子  １５  第一軸受  １６  第二軸受  １７  フィン  １７ａ  ねじ  １７ｂ  ベース板  １７ｃ  羽板  １８  撥水性フィルター材  １９  固定ねじ
【図１】
2019057977.tif 000003
【図２】
2019057977.tif 000004
【図３】
2019057977.tif 000005
【図４】
2019057977.tif 000006
【図５】
2019057977.tif 000007
【図６】
2019057977.tif 000008